(57)【要約】【課題】試料を正常に注入でき、かつシリンジおよびセプタムの損傷を低減することができる自動試料注入装置を提供する。【解決手段】シリンジ１１５は、先端にニードル１１６を有するバレル１３２とバレル１３２内に摺動自在に嵌挿されたプランジャ１１７とを含む。セプタム１３１は、試料気化室１２３の上部に取り付けられ、ニードル１１６が挿入される。記憶部１３５は、セプタムの種類およびシリンジの種類に対応する、シリンジ１１５の下方への最適速度を定めたテーブルを記憶する。制御部１３０は、テーブルを参照して、セプタム１３１およびシリンジ１１５に対応するシリンジ１１５の下方への最適速度を特定し、シリンジ１１５の下方への速度がシリンジ１１５の下方への最適速度となるように、シリンジ駆動部１１９を制御する。【選択図】図１
2020134194.tif 000002
【特許請求の範囲】
【請求項１】
先端にニードルを有するバレルと、前記バレル内に摺動自在に嵌挿されたプランジャとを含むシリンジと、
前記シリンジを駆動するシリンジ駆動部と、
前記プランジャを駆動するプランジャ駆動部と、
試料気化室の上部に取り付けられ、前記ニードルが挿入されるセプタムの種類およびシリンジの種類に対応する、シリンジの下方への最適速度を定めたテーブルを記憶する記憶部と、
前記テーブルを参照して、前記セプタムおよび前記シリンジに対応する前記シリンジの下方への最適速度を特定し、前記シリンジの下方への速度が前記シリンジの下方への最適速度となるように、前記シリンジ駆動部を制御する制御部とを備えた自動試料注入装置。
【請求項２】
前記テーブルは、さらに、前記セプタムの種類および前記シリンジの種類に対応する、前記プランジャの下方への最適速度を定め、
前記制御部は、前記テーブルを参照して、前記セプタムおよび前記シリンジに対応する前記プランジャの下方への最適速度を特定し、前記プランジャの下方への速度が前記プランジャの下方への最適速度となるように、前記プランジャ駆動部を制御する、請求項１記載の自動試料注入装置。
【請求項３】
先端にニードルを有するバレルと、前記バレル内に摺動自在に嵌挿されたプランジャとを含むシリンジと、
前記シリンジを駆動するシリンジ駆動部と、
前記プランジャを駆動するプランジャ駆動部と、
試料気化室の上部に取り付けられ、前記ニードルが挿入されるセプタムの種類およびシリンジの種類に対応する、プランジャの下方への最適速度を定めたテーブルを記憶する記憶部と、
前記テーブルを参照して、前記セプタムおよび前記シリンジに対応する前記プランジャの下方への最適速度を特定し、前記プランジャの下方への速度が前記プランジャの下方への最適速度となるように、前記プランジャ駆動部を制御する制御部とを備えた自動試料注入装置。
【請求項４】
先端にニードルを有するバレルと、前記バレル内に摺動自在に嵌挿されたプランジャとを含むシリンジと、
前記シリンジを駆動するシリンジ駆動部と、
前記プランジャを駆動するプランジャ駆動部と、
ユーザによるユーザ設定シリンジ速度の入力を受け付ける入力部と、
試料気化室の上部に取り付けられ、前記ニードルが挿入されるセプタムの種類およびシリンジの種類に対応する、通常測定時のシリンジの下方へ速度範囲を定めたテーブルを記憶する記憶部と、
前記テーブルを参照して、前記セプタムおよび前記シリンジに対応する、通常測定時のシリンジの下方への速度範囲を特定し、前記ユーザ設定シリンジ速度が前記速度範囲外の場合に、警告を通知する制御部とを備えた自動試料注入装置。
【請求項５】
前記入力部は、さらに、ユーザによるユーザ設定プランジャ速度の入力を受け付け、
前記テーブルは、セプタムの種類およびシリンジの種類に対応する、通常測定時のプランジャの下方への速度範囲を定め、
前記制御部は、前記テーブルを参照して、前記セプタムおよび前記シリンジに対応する、通常測定時のプランジャの下方への速度範囲を特定し、前記ユーザ設定プランジャ速度が前記速度範囲外の場合に、警告を通知する、請求項４記載の自動試料注入装置。
【請求項６】
先端にニードルを有するバレルと、前記バレル内に摺動自在に嵌挿されたプランジャとを含むシリンジと、
前記シリンジを駆動するシリンジ駆動部と、
前記プランジャを駆動するプランジャ駆動部と、
ユーザによるユーザ設定プランジャ速度の入力を受け付ける入力部と、
試料気化室の上部に取り付けられ、前記ニードルが挿入されるセプタムの種類およびシリンジの種類に対応する、通常測定時のプランジャの下方への速度範囲を定めたテーブルを記憶する記憶部と、
前記テーブルを参照して、前記セプタムおよび前記シリンジに対応する、通常測定時のプランジャの下方への速度範囲を特定し、前記ユーザ設定プランジャ速度が前記速度範囲外の場合に、警告を通知する制御部とを備えた自動試料注入装置。
【請求項７】
前記シリンジの種類は、前記バレルの容量、前記ニードルの形状、前記プランジャの形状のうちの少なくとも１つによって定められる、請求項１〜６のいずれか１項に記載の自動試料注入装置。
【請求項８】
前記セプタムの種類は、前記セプタムの材質、および前記セプタムの厚さのうちの少なくとも１つによって定められる、請求項１〜６のいずれか１項に記載の自動試料注入装置。
【発明の詳細な説明】
【技術分野】
【０００１】
本発明は、自動試料注入装置に関する。
【背景技術】
【０００２】
ガスクロマトグラフ部と、試料をガスクロマトグラフ部に接続された試料気化室に自動で注入する自動試料注入装置とを備えた自動試料分析システムが知られている。
【０００３】
たとえば、特許文献１に記載の自動試料分析システムのオートインジェクタは、下端にニードルを有し内側に摺動自在にプランジャが嵌挿されたマイクロシリンジと、マイクロシリンジのプランジャを押し入れ又は引き出すプランジャ駆動部と、マイクロシリンジ全体を上下させると共に水平方向に所定範囲内で移動させるシリンジ駆動部とを含む。
【先行技術文献】
【特許文献】
【０００４】
【特許文献１】特開２０１６−１５６６３２号公報
【発明の概要】
【発明が解決しようとする課題】
【０００５】
特許文献１に記載の自動試料分析システムでは、シリンジおよびプランジャの下方向への速度をユーザが設定しなければならない。ユーザの設定が適切でないと、試料を正常に注入できなかったり、シリンジ、および試料気化室に試料注入口に取り付けられたセプタムを損傷させることがある。
【０００６】
それゆえに、本発明の目的は、試料を正常に注入でき、かつシリンジおよびセプタムの損傷を低減することができる自動試料注入装置を提供することである。
【課題を解決するための手段】
【０００７】
本発明の自動試料注入装置は、先端にニードルを有するバレルと、バレル内に摺動自在に嵌挿されたプランジャとを含むシリンジと、シリンジを駆動するシリンジ駆動部と、プランジャを駆動するプランジャ駆動部と、試料気化室の上部に取り付けられ、ニードルが挿入されるセプタムの種類およびシリンジの種類に対応する、シリンジの下方への最適速度を定めたテーブルを記憶する記憶部と、テーブルを参照して、セプタムおよびシリンジに対応するシリンジの下方への最適速度を特定し、シリンジの下方への速度がシリンジの下方への最適速度となるように、シリンジ駆動部を制御する制御部とを備える。
【０００８】
本発明の自動試料注入装置は、先端にニードルを有するバレルと、バレル内に摺動自在に嵌挿されたプランジャとを含むシリンジと、シリンジを駆動するシリンジ駆動部と、プランジャを駆動するプランジャ駆動部と、ユーザによるユーザ設定シリンジ速度の入力を受け付ける入力部と、試料気化室の上部に取り付けられ、ニードルが挿入されるセプタムの種類およびシリンジの種類に対応する、通常測定時のシリンジの下方へ速度範囲を定めたテーブルを記憶する記憶部と、テーブルを参照して、セプタムおよびシリンジに対応する、通常測定時のシリンジの下方への速度範囲を特定し、ユーザ設定シリンジ速度が速度範囲外の場合に、警告を通知する制御部とを備える。
【発明の効果】
【０００９】
本発明によれば、試料を正常に注入でき、かつシリンジおよびセプタムの損傷を低減することができる。
【図面の簡単な説明】
【００１０】
【図１】第１の実施形態の自動試料分析システムの構成を表わす図である。
【図２】（ａ）は、シリンジ１１５およびプランジャ１１７が駆動される前の状態を表わす図である。（ｃ）は、プランジャ１１７を下方に駆動した後の状態を表わす図である。
【図３】第１の実施形態の速度テーブルを表わす図である。
【図４】シリンジ１１５の種類を表わす図である。
【図５】セプタム１３１の種類を表わす図である。
【図６】第１の実施形態における試料気化室１２３へ試料の注入手順を表わすフローチャートである。
【図７】第２の実施形態の速度テーブルを表わす図である。
【図８】第２の実施形態における試料気化室１２３へ試料の注入手順を表わすフローチャートである。
【発明を実施するための形態】
【００１１】
以下、図面を参照して、実施の形態を説明する。
［第１の実施形態］
図１は、第１の実施形態の自動試料分析システムの構成を表わす図である。
【００１２】
この自動試料分析システムは、自動試料注入装置１１０と、ガスクロマトグラフ部１２０と、検出制御部２３０とを備える。
【００１３】
自動試料注入装置１１０は、バイアルラック収容部１１１と、シリンジ１１５と、シリンジ駆動部１１９と、プランジャ駆動部１１８と、バイアルラック収容部１１１と、制御部１３０と、記憶部１３５と、入力部１４０と、表示部１５０とを備える。
【００１４】
シリンジ１１５は、先端にニードル１１６を有するバレル１３２と、バレル１３２内に摺動自在に嵌挿されたプランジャ１１７とを含む。
【００１５】
バイアルラック収容部１１１のバイアルラックには、複数の試料バイアル１１２と、洗浄バイアル１１３とが配置される。
【００１６】
試料バイアル１１２には、分析対象の試料が封入されている。洗浄バイアル１１３には、シリンジ１１５を洗浄するための洗浄液が封入される。
【００１７】
シリンジ駆動部１１９は、シリンジ１１５の全体を上下方向および水平方向移動させることによって、ニードル１１６を試料バイアル１１２、または洗浄バイアル１１３に挿入し、またはニードル１１６を試料バイアル１１２、または洗浄バイアル１１３から引き出す。シリンジ駆動部１１９は、シリンジ１１５の全体を下方に移動させることによって、ニードル１１６を試料気化室１２３に挿入する。シリンジ駆動部１１９は、モータなどの駆動源を備える。
【００１８】
プランジャ駆動部１１８は、プランジャ１１７を上下方向に移動させることによって、試料または洗浄液をバレル４内に注入させる。プランジャ駆動部１１８は、プランジャ１１７を下方に移動させることによって、バレル４内の試料を試料気化室１２３に注入する。プランジャ駆動部１１８は、モータなどの駆動源を備える。
【００１９】
ガスクロマトグラフ部１２０は、温調可能なカラムオーブン１２１と、カラムオーブン１２１内に配設されるキャピラリカラム１２２と、キャピラリカラム１２２の入口に配置される試料気化室１２３と、キャピラリカラム１２２の出口に配置される検出器１２５とを備える。
【００２０】
試料気化室１２３には、キャリアガスを導入するためのキャリアガス供給管１２４が接続される。キャリアガス供給管１２４を通じて、略一定流量に調節されたキャリアガスが試料気化室１２３に供給される。
【００２１】
試料気化室１２３の上部には、ニードル１１６が挿入されるセプタム１３１が配置されている。キャリアガスおよび試料は試料気化室１２３を通ってキャピラリカラム１２２に導入される。
【００２２】
検出器１２５は、キャピラリカラム１２２内で分離された各種の成分を検出する。
記憶部１３５は、速度テーブルを記憶する。
【００２３】
制御部１３０は、速度テーブルに基づいて、シリンジ駆動部１１９の駆動、およびプランジャ駆動部１１８の駆動を制御する。
【００２４】
検出制御部２３０は、試料気化室１２３およびカラムオーブン１２１の温調を制御し、検出器１２５の検出結果のデータ処理を実行する。
【００２５】
制御部１３０および検出制御部２３０は、パーソナルナルコンピュータ内のＣＰＵが、記憶装置に格納されたプログラムを実行することによって実現される。
【００２６】
入力部１４０は、ユーザからの各種の指示、条件の設定を受け付ける。入力部１４０は、パーソナルコンピュータに接続されたキーボード、マウスなどによって構成される。
【００２７】
表示部１５０は、制御部１３０から出力されるデータ処理の結果などを表示する。表示部１５０は、パーソナルコンピュータのモニタなどによって構成される。
【００２８】
図２は、シリンジ１１５、プランジャ１１７の駆動を説明するための図である。
図２（ａ）は、シリンジ１１５およびプランジャ１１７が駆動される前の状態を表わす図である。この状態からシリンジ１１５が試料気化室１２３のある下方に向かって、速度ＳＶで駆動される。
【００２９】
図２（ｂ）は、シリンジ１１５を下方に駆動した後の状態を表わす図である。
シリンジ１１５を下方に駆動することによって、ニードル１１６がセプタム１３１に突き刺さる。シリンジ１１５の下方への速度ＳＶによっては、セプタム１３１、およびニードル１１６が損傷することがある。この状態から、さらに、プランジャ１１７が下方に向かって、速度ＰＶで駆動される。
【００３０】
図２（ｃ）は、プランジャ１１７を下方に駆動した後の状態を表わす図である。プランジャ１１７の下方への速度ＰＶによっては、試料気化室１２３、またはキャピラリカラム１２２に試料が正常に注入できないことがある。
【００３１】
図３は、第１の実施形態の速度テーブルを表わす図である。
第１の実施形態の速度テーブルは、シリンジ１１５の種類およびセプタム１３１の種類に対応するシリンジ１１５の最適速度ＯＳＶおよびプランジャ１１７の最適速度ＯＰＶを定める。
【００３２】
図３の例では、シリンジの種類ＩＤがｉ、かつセプタムの種類ＩＤがｊに対応して、シリンジ１１５の最適速度ＯＳＶｉｊと定められ、プランジャ１１７の最適速度ＯＰＶｉｊが定められている。
【００３３】
図４は、シリンジ１１５の種類を表わす図である。
シリンジ１１５の種類は、バレル１３２の容量、ニードル１１６の形状、プランジャ１１７の形状によって定められる。
【００３４】
図４の例では、２７種のシリンジ１１５の種類ＩＤ（１〜２７）が、３種類のバレル１３２の容量（ａ１〜ａ３）、３種類のニードル１１６の形状（ｂ１〜ｂ３）、および３種類のプランジャ１１７の形状（ｃ１〜ｃ３）の組み合わせによって定められる。
【００３５】
図５は、セプタム１３１の種類を表わす図である。
セプタム１３１の種類は、セプタム１３１の種類、セプタム１３１の厚さによって定められる。
【００３６】
図５の例では、４種のセプタム１３１の種類ＩＤ（１〜４）が、２種類のセプタムの材質（ｄ１、ｄ２）、および２種類のセプタム１３１の厚さ（ｅ１、ｅ２）の組み合わせによって定められる。
【００３７】
制御部１３０は、速度テーブルを参照して、セプタム１３１およびシリンジ１１５に対応するシリンジ１１５の下方への最適速度ＯＳＶおよびプランジャ１１７の最適速度ＯＰＶを特定する。制御部１３０は、シリンジ１１５の下方への速度ＳＶがシリンジ１１５の下方への最適速度ＯＳＶとなるように、シリンジ駆動部１１９を制御する。制御部１３０は、プランジャ１１７の下方への速度ＰＶがプランジャ１１７の下方への最適速度ＯＰＶとなるように、プランジャ駆動部１１８を制御する。
【００３８】
図６は、第１の実施形態における試料気化室１２３へ試料の注入手順を表わすフローチャートである。前段階として、試料バイアル１１２から試料が取り出されて、シリンジ１１５のバレル１３２内に封入されているものとする。
【００３９】
ステップＳ１０１において、入力部１４０は、ユーザによるシリンジ１１５の種類ＩＤ、およびセプタム１３１の種類ＩＤの入力を受け付ける。
【００４０】
ステップＳ１０２において、制御部１３０は、記憶部１３５内の速度テーブルを参照して、入力されたシリンジ１１５の種類ＩＤ、およびセプタム１３１の種類ＩＤに対応するシリンジ１１５の最適速度ＯＳＶと定められ、プランジャ１１７の最適速度ＯＰＶを特定する。
【００４１】
ステップＳ１０３において、制御部１３０は、シリンジ駆動部１１９に、シリンジ１１５を速度ＯＳＶで下方に移動させるように指示する。
【００４２】
ステップＳ１０４において、制御部１３０は、プランジャ駆動部１１８に、プランジャ１１７を速度ＯＰＶで下方に移動させるように指示する。
【００４３】
以上のように、本実施の形態によれば、セプタムの種類およびシリンジの種類に応じて、最適なシリンジ速度およびプランジャ速度が決定されるので、試料を正常に注入でき、かつシリンジおよびセプタムの損傷を低減することができる。
【００４４】
［第２の実施形態］
図７は、第２の実施形態の速度テーブルを表わす図である。
【００４５】
第２の実施形態の速度テーブルは、シリンジ１１５の種類およびセプタム１３１の種類に対応する通常測定時のシリンジ１１５の速度範囲ＳＭｉｎＶ〜ＳＭａｘＶおよび通常測定時のプランジャ１１７の速度範囲ＰＭｉｎＶ〜ＰＭａｘＶを定める。通常測定時とは標準的なユーザが、標準的な測定を実行するときに使用される速度の範囲である。
【００４６】
図７の例では、シリンジの種類ＩＤがｉ、かつセプタムの種類ＩＤがｊに対応して、通常測定時のシリンジ１１５の速度範囲ＳＭｉｎＶｉｊ〜ＳＭａｘＶｉｊが定められ、通常測定時のプランジャ１１７の速度範囲ＰＭｉｎＶｉｊ〜ＰｍａｘＶｉｊが定められている。
【００４７】
入力部１４０は、ユーザからのユーザ設定シリンジ速度ＳＶおよびユーザ設定プランジャ速度の入力を受け付ける。
【００４８】
制御部１３０は、速度テーブルを参照して、セプタム１３１およびシリンジ１１５に対応する通常測定時のシリンジ１１５の下方への速度範囲ＳＭｉｎＶ〜ＳＭａｘＶおよび通常測定時のプランジャ１１７の下方への速度範囲ＰＭｉｎＶ〜ＰＭａｘＶを特定する。制御部１３０は、ユーザ設定シリンジ速度ＳＶが速度範囲ＳＭｉｎＶ〜ＳＭａｘＶの外部にある場合に、警告を表示部１５０に表示する。制御部１３０は、ユーザ設定プランジャ速度ＰＶが速度範囲ＰＭｉｎＶ〜ＰＭａｘＶの外部にある場合に、警告を表示部１５０に表示する。
【００４９】
図８は、第２の実施形態における試料気化室１２３へ試料の注入手順を表わすフローチャートである。前段階として、試料バイアル１１２から試料が取り出されて、シリンジ１１５のバレル１３２内に封入されているものとする。
【００５０】
ステップＳ２０１において、入力部１４０は、ユーザによるシリンジ１１５の種類ＩＤ、およびセプタム１３１の種類ＩＤの入力を受け付ける。
【００５１】
ステップＳ２０２において、入力部１４０は、ユーザによるシリンジ１１５の速度（ユーザ設定シリンジ速度）ＳＶ、およびプランジャ１１７の速度（ユーザ設定プランジャ速度）ＰＶの入力を受け付ける。
【００５２】
ステップＳ２０３において、制御部１３０は、記憶部１３５内の速度テーブルを参照して、入力されたシリンジ１１５の種類ＩＤ、およびセプタム１３１の種類ＩＤに対応する通常測定時のシリンジ１１５の速度範囲ＳＭｉｎＶ〜ＳＭａｘＶ、通常測定時のプランジャ１１７の速度範囲ＰＭｉｎＶ〜ＰＭａｘＶを特定する。
【００５３】
ステップＳ２０４において、ＳＶ＜ＳＭｉｎＶ、またはＳＶ＞ＳＭａｘＶのとき、すなわち、ユーザ設定シリンジ速度ＳＶが通常測定時のシリンジ１１５の速度範囲外のときには、処理がステップＳ２０５に進む。ＳＭｉｎＶ≦ＳＶ≦ＳＭａｘＶのとき、すなわち、ユーザ設定シリンジ速度ＳＶが通常測定時のシリンジ１１５の速度範囲内のときには、処理がステップＳ２０７に進む。
【００５４】
ステップＳ２０５において、制御部１３０は、ユーザ設定シリンジ速度ＳＶが通常測定時のシリンジ１１５の速度範囲外であることを表示部１５０に表示する。
【００５５】
ステップＳ２０６において、入力部１４０が、ユーザによるユーザ設定シリンジ速度ＳＶの変更の入力を受け付けた場合には、処理がステップＳ２０４に戻る。入力部１４０が、ユーザ設定シリンジ速度ＳＶの変更の入力を受け付けなかった場合には、処理がステップＳ２０７に進む。これは、専門性の高いユーザが、ユーザ設定シリンジ速度ＳＶが速度範囲外であることを知りつつ、測定の実行を望む場合を考慮したものである。
【００５６】
ステップＳ２０７において、ＰＶ＜ＰＭｉｎＶ、またはＰＶ＞ＰＭａｘＶのとき、すなわち、ユーザ設定プランジャ速度ＰＶが通常測定時のプランジャ１１７の速度範囲外のときには、処理がステップＳ２０８に進む。ＰＭｉｎＶ≦ＰＶ≦ＰＭａｘＶのとき、すなわち、ユーザ設定プランジャ速度ＰＶが通常測定時のプランジャ１１７の速度範囲内のときには、処理がステップＳ２１０に進む。
【００５７】
ステップＳ２０８において、制御部１３０は、ユーザ設定プランジャ速度ＰＶが通常測定時のプランジャ１１７の速度範囲外であることを表示部１５０に表示する。
【００５８】
ステップＳ２０９において、入力部１４０が、ユーザ設定プランジャ速度ＰＶの変更の入力を受け付けた場合には、処理がステップＳ２０７に戻る。入力部１４０が、ユーザ設定プランジャ速度ＰＶの変更の入力を受け付けなかった場合には、処理がステップＳ２１０に進む。これは、専門性の高いユーザが、ユーザ設定プランジャ速度ＰＶが速度範囲外であることを知りつつ、測定の実行を望む場合を考慮したものである。
【００５９】
ステップＳ２１０において、制御部１３０は、シリンジ駆動部１１９に、シリンジ１１５をユーザ設定シリンジ速度ＳＶで下方に移動させるように指示する。
【００６０】
ステップＳ２１１において、制御部１３０は、プランジャ駆動部１１８に、プランジャ１１７をユーザ設定プランジャ速度ＰＶで下方に移動させるように指示する。
【００６１】
以上のように、本実施の形態によれば、セプタムの種類およびシリンジの種類に応じて、通常測定時のシリンジの速度範囲、および通常測定時のプランジャの速度範囲を特定し、ユーザ設定シリンジ速度が速度範囲外のとき、およびユーザ設定プランジャ速度が速度範囲外のときに、警告を表示する。これによって、ユーザは、ユーザ設定シリンジ速度およびユーザ設定プランジャ速度を変更することができるので、試料を正常に注入でき、かつシリンジおよびセプタムの損傷を低減することができる。
【００６２】
（変形例）
本発明は、上記の実施形態に限定されるものではなく、たとえば、以下のような変形例も含む。
【００６３】
（１）図６のステップＳ１０１、および図８のステップＳ２０１において、ユーザがシリンジ１１５の種類ＩＤ、およびセプタム１３１の種類ＩＤを入力するものとしたが、これに限定するものではない。
【００６４】
シリンジ１１５にバーコードシールを取り付けて、バーコード識別機能を搭載した制御部１３０によって、シリンジ１１５の種類を識別するものとしてもよい。また、シリンジ１１５にＲＦＩＤ（Radio Frequency Identifier）ラベルを取り付けて、ＲＦＩＤラベルが送信するＩＤ情報を制御部１３０が受信することによって、シリンジ１１５の種類を識別するものとしてもよい。
【００６５】
セプタム１３１は、試料気化室１２３に取り付けられる前に、収納瓶に保存されている。収納瓶にバーコードシールを取り付けて、バーコード識別機能を搭載した制御部１３０によって、セプタム１３１の種類を識別するものとしてもよい。また、収納瓶にＲＦＩＤラベルを取り付けて、ＲＦＩＤラベルが送信するＩＤ情報を制御部１３０が受信することによって、セプタム１３１の種類を識別するものとしてもよい。
【００６６】
あるいは、カメラがシリンジ１１５およびセプタム１３１を撮影し、画像処理機能を備えた制御部１３０によって、シリンジ１１５およびセプタム１３１の種類を識別するものとしてもよい。
【００６７】
（２）図６では、速度テーブルを参照して、シリンジ１１５の最適速度ＯＳＶ、およびプランジャ１１７の最適速度ＯＰＶを特定したが、これに限定するものではない。
【００６８】
シリンジ１１５およびプランジャ１１７のうちいずれか一方の速度を速度テーブルを参照して特定し、他方の速度を標準値、またはユーザの設定値としてもよい。
【００６９】
（３）図８では、速度テーブルを参照して、通常測定時のシリンジ１１５の速度範囲、および通常測定時のプランジャ１１７の速度範囲を特定したが、これに限定するものではない。
【００７０】
シリンジ１１５およびプランジャ１１７のうちいずれか一方の通常測定時の速度範囲を速度テーブルを参照して特定し、他方の速度を標準値、ユーザの設定値、または速度テーブルを参照した最適速度としてもよい。
【００７１】
（４）シリンジの種類は、バレルの容量、ニードルの形状、およびプランジャの形状の組み合わせによって定められるものとしたが、これに限定されるものではない。シリンジの種類は、バレルの容量、ニードルの形状、およびプランジャの形状のうちの少なくとも１つによって定められるものとしてもよい。
【００７２】
（５）セプタムの種類は、セプタムの材質、およびセプタムの厚さの組み合わせによって定められるものとしたが、これに限定されるものではない。セプタムの種類は、セプタムの材質、およびセプタムの厚さのうちの少なくとも１つによって定められるものとしてもよい。
【００７３】
（付記）
本開示の自動試料注入装置は、以下の特徴を備える。
【００７４】
（１）自動試料注入装置は、
先端にニードル（１１６）を有するバレル（１３２）と、前記バレル（１３２）内に摺動自在に嵌挿されたプランジャ（１１７）とを含むシリンジ（１１５）と、
前記シリンジ（１１５）を駆動するシリンジ駆動部（１１９）と、
前記プランジャ（１１７）を駆動するプランジャ駆動部（１１８）と、
試料気化室（１２３）の上部に取り付けられ、前記ニードル（１１６）が挿入されるセプタム（１３１）の種類およびシリンジ（１１５）の種類に対応する、シリンジ（１１５）の下方への最適速度を定めたテーブルを記憶する記憶部（１３５）と、
前記テーブルを参照して、前記セプタム（１３１）および前記シリンジ（１１５）に対応する前記シリンジ（１１５）の下方への最適速度を特定し、前記シリンジ（１１５）の下方への速度が前記シリンジ（１１５）の下方への最適速度となるように、前記シリンジ駆動部（１１９）を制御する制御部（１３０）とを備える。
【００７５】
これによって、セプタムの種類およびシリンジの種類に応じて、最適なシリンジ速度が決定されるので、試料を正常に注入でき、かつシリンジおよびセプタムの損傷を低減することができる。
【００７６】
（２）好ましくは、前記テーブルは、さらに、セプタム（１３１）の種類およびシリンジ（１１５）の種類に対応する、プランジャ（１１７）の下方への最適速度を定め、
前記制御部（１３０）は、前記テーブルを参照して、前記セプタム（１３１）および前記シリンジ（１１５）に対応する前記プランジャ（１１７）の下方への最適速度を特定し、前記プランジャ（１１７）の下方への速度が前記プランジャ（１１７）の下方への最適速度となるように、前記プランジャ駆動部（１１８）を制御する。
【００７７】
これによって、セプタムの種類およびシリンジの種類に応じて、最適なプランジャ速度が決定されるので、試料を正常に注入でき、かつシリンジおよびセプタムの損傷を低減することができる。
【００７８】
（３）自動試料注入装置は、
先端にニードル（１１６）を有するバレル（１３２）と、前記バレル（１３２）内に摺動自在に嵌挿されたプランジャ（１１７）とを含むシリンジ（１１５）と、
前記シリンジ（１１５）を駆動するシリンジ駆動部（１１９）と、
前記プランジャ（１１７）を駆動するプランジャ駆動部（１１８）と、
試料気化室（１２３）の上部に取り付けられ、前記ニードル（１１６）が挿入されるセプタム（１３１）の種類およびシリンジ（１１５）の種類に対応する、プランジャ（１１７）の下方への最適速度を定めたテーブルを記憶する記憶部（１３５）と、
前記テーブルを参照して、前記セプタム（１３１）および前記シリンジ（１１５）に対応する前記プランジャ（１１７）の下方への最適速度を特定し、前記プランジャ（１１７）の下方への速度が前記プランジャ（１１７）の下方への最適速度となるように、前記プランジャ駆動部（１１８）を制御する制御部（１３０）とを備える。
【００７９】
これによって、セプタムの種類およびシリンジの種類に応じて、最適なプランジャ速度が決定されるので、試料を正常に注入でき、かつシリンジおよびセプタムの損傷を低減することができる。
【００８０】
（４）自動試料注入装置は、
先端にニードル（１１６）を有するバレル（１３２）と、前記バレル（１３２）内に摺動自在に嵌挿されたプランジャ（１１７）とを含むシリンジ（１１５）と、
前記シリンジ（１１５）を駆動するシリンジ駆動部（１１９）と、
前記プランジャ（１１７）を駆動するプランジャ駆動部（１１８）と、
ユーザによるユーザ設定シリンジ速度の入力を受け付ける入力部（１４０）と、
試料気化室（１２３）の上部に取り付けられ、前記ニードル（１１６）が挿入されるセプタム（１３１）の種類およびシリンジ（１１５）の種類に対応する、通常測定時のシリンジ（１１５）の下方へ速度範囲を定めたテーブルを記憶する記憶部（１３５）と、
前記テーブルを参照して、前記セプタム（１３１）および前記シリンジ（１１５）に対応する、通常測定時のシリンジ（１１５）の下方への速度範囲を特定し、前記ユーザ設定シリンジ速度が前記速度範囲外の場合に、警告を通知する制御部（１３０）とを備える。
【００８１】
これによって、セプタムの種類およびシリンジの種類に応じて、通常測定時のシリンジの速度範囲を特定し、ユーザ設定シリンジ速度が速度範囲外のときに、警告を表示するので、ユーザは、ユーザ設定シリンジ速度を変更することができる。その結果、試料を正常に注入でき、かつシリンジおよびセプタムの損傷を低減することができる。
【００８２】
（５）好ましくは、入力部（１４０）、さらに、ユーザによるユーザ設定プランジャ速度の入力を受け付け、
前記テーブルは、セプタム（１３１）の種類およびシリンジ（１１５）の種類に対応する、通常測定時のプランジャ（１１７）の下方への速度範囲を定め、
前記制御部（１３０）は、前記テーブルを参照して、前記セプタム（１３１）および前記シリンジ（１１５）に対応する、通常測定時のプランジャ（１１７）の下方への速度範囲を特定し、前記ユーザ設定プランジャ速度が前記速度範囲外の場合に、警告を通知する。
【００８３】
これによって、セプタムの種類およびシリンジの種類に応じて、通常測定時のプランジャの速度範囲を特定し、ユーザ設定プランジャ速度が速度範囲外のときに、警告を表示するので、ユーザは、ユーザ設定プランジャ速度を変更することができる。その結果、試料を正常に注入でき、かつシリンジおよびセプタムの損傷を低減することができる。
【００８４】
（６）自動試料注入装置は、
先端にニードル（１１６）を有するバレル（１３２）と、前記バレル（１３２）内に摺動自在に嵌挿されたプランジャ（１１７）とを含むシリンジ（１１５）と、
前記シリンジ（１１５）を駆動するシリンジ駆動部（１１９）と、
前記プランジャ（１１７）を駆動するプランジャ駆動部（１１８）と、
ユーザによるユーザ設定プランジャ速度の入力を受け付ける入力部（１４０）と、
試料気化室（１２３）の上部に取り付けられ、前記ニードル（１１６）が挿入されるセプタム（１３１）の種類およびシリンジ（１１５）の種類に対応する、通常測定時のプランジャ（１１７）の下方への速度範囲を定めたテーブルを記憶する記憶部（１３５）と、
前記テーブルを参照して、前記セプタム（１３１）および前記シリンジ（１１５）に対応する、通常測定時のプランジャ（１１７）の下方への速度範囲を特定し、前記ユーザ設定プランジャ速度が前記速度範囲外の場合に、警告を通知する制御部（１３０）とを備える。
【００８５】
これによって、セプタムの種類およびシリンジの種類に応じて、通常測定時のプランジャの速度範囲を特定し、ユーザ設定プランジャ速度が速度範囲外のときに、警告を表示するので、ユーザは、ユーザ設定プランジャ速度を変更することができる。その結果、試料を正常に注入でき、かつシリンジおよびセプタムの損傷を低減することができる。
【００８６】
（７）好ましくは、前記シリンジ（１１５）の種類は、前記バレル（１３２）の容量、前記ニードル（１１６）の形状、前記プランジャ（１１７）の形状のうちの少なくとも１つによって定められる。
【００８７】
これによって、テーブル内のシリンジの種類を適切に設定することができる。
（８）好ましくは、セプタム（１３１）の種類は、前記セプタム（１３１）の材質、および前記セプタム（１３１）の厚さのうちの少なくとも１つによって定められる。
【００８８】
これによって、テーブル内のセプタムの種類を適切に設定することができる。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８９】
１１０  自動試料注入装置、１１１  バイアルラック収容部、１１２  試料バイアル、１１３  洗浄バイアル、１１４  バイアルラック、１１５  シリンジ、１１６  ニードル、１１７  プランジャ、１２０  ガスクロマトグラフ部、１２１  カラムオーブン、１２２  キャピラリカラム、１２３  試料気化室、１２４  キャリアガス供給管、１２５  検出器、１３０  制御部、１３１  セプタム、１３２  バレル、１３５  記憶部、１４０  入力部、１５０  表示部、２３０  検出制御部。
【図１】
2020134194.tif 000003
【図２】
2020134194.tif 000004
【図３】
2020134194.tif 000005
【図４】
2020134194.tif 000006
【図５】
2020134194.tif 000007
【図６】
2020134194.tif 000008
【図７】
2020134194.tif 000009
【図８】
2020134194.tif 000010